(57)【要約】  本発明は、ソースセル（１００）からターゲットセル（１０２）へのユーザ装置（１２８）のハンドオーバを実施する方法に関し、ユーザ装置（１２８）は、２つ以上の統合されたコンポーネント・キャリア上で同時にデータを受信および／または送信するためになされており、方法は、ソースセル（１００）のランダム・アクセス・チャネル上で、ソースセル（１００）からＲＲＣ接続再設定メッセージを受信するステップを含み、前記メッセージは、連結情報を含み、前記連結情報は、ターゲットセル（１０２）のアップリンクのための統合されたコンポーネント・キャリアのうちの１つと、ターゲットセル（１０２）のダウンリンクのための統合されたコンポーネント・キャリアのうちの１つとを示す。
2013524595.tif 000002
【特許請求の範囲】
【請求項１】
ソースセル（１００）からターゲットセル（１０２）へのユーザ装置（１２８）のハンドオーバを実施する方法であって、前記ユーザ装置（１２８）は、２つ以上の統合されたコンポーネント・キャリア上で同時にデータを受信および／または送信するためになされており、前記方法は、前記ソースセル（１００）のランダム・アクセス・チャネル上で、前記ソースセル（１００）からＲＲＣ接続再設定メッセージを受信するステップを含み、前記メッセージは、連結情報を含み、前記連結情報は、前記ターゲットセル（１０２）のアップリンクのための前記統合されたコンポーネント・キャリアのうちの１つと、前記ターゲットセル（１０２）のダウンリンクのための前記統合されたコンポーネント・キャリアのうちの１つとを示す、方法。
【請求項２】
前記ＲＲＣ接続再設定メッセージは、専用ＲＡＣＨプリアンブルをさらに含む、請求項１に記載の方法。
【請求項３】
前記連結情報は、前記ターゲットセル（１０２）の前記統合されたコンポーネント・キャリアのうちの前記１つが既にアクティブであるか、または非アクティブであるかをさらに示す、請求項１に記載の方法。
【請求項４】
前記連結情報は、前記ソースセル（１００）のコンポーネント・キャリア設定が、前記ターゲットセル（１０２）のために全く同じように使用され得るかどうかを示す、請求項１に記載の方法。
【請求項５】
前記統合されたコンポーネント・キャリアは、少なくとも１つのプライマリ・コンポーネント・キャリア、およびオプションでセカンダリ・コンポーネント・キャリアを形成する、請求項１に記載の方法。
【請求項６】
ソースセル（１００）からターゲットセル（１０２）へのハンドオーバを実施するためになされたユーザ装置（１２８）であって、前記ユーザ装置（１２８）は、少なくとも１つのコンポーネント・キャリアを形成する２つ以上の統合されたコンポーネント・キャリア上で同時にデータを受信および／または送信するためになされており、前記ユーザ装置（１２８）はさらに、前記ソースセル（１００）のランダム・アクセス・チャネル上で、前記ソースセル（１００）からＲＲＣ接続再設定メッセージを受信するためになされており、前記メッセージは、連結情報を含み、前記連結情報は、前記ターゲットセル（１０２）のアップリンクのための前記統合されたコンポーネント・キャリアのうちの１つと、前記ターゲットセル（１０２）のダウンリンクのための前記統合されたコンポーネント・キャリアのうちの１つとを示す、ユーザ装置（１２８）。
【請求項７】
ソースセル（１００）からターゲットセル（１０２）へのユーザ装置（１２８）のハンドオーバを実施する方法であって、前記方法は、前記ソースセル（１００）の基地局によって実施され、前記基地局（１１６）は、２つ以上の統合されたコンポーネント・キャリア上で同時にデータを受信および／または送信するためになされており、前記方法は、前記ソースセル（１００）のランダム・アクセス・チャネル上で、ＲＲＣ接続再設定メッセージを送信するステップを含み、前記メッセージは、連結情報を含み、前記連結情報は、前記ターゲットセル（１０２）のアップリンクのための前記統合されたコンポーネント・キャリアのうちの１つと、前記ターゲットセル（１０２）のダウンリンクのための前記統合されたコンポーネント・キャリアのうちの１つとを示す、方法。
【請求項８】
前記ターゲットセル（１０２）の前記アップリンクのための前記統合されたコンポーネント・キャリアのうちの１つと、前記ターゲットセル（１０２）の前記ダウンリンクのための前記統合されたコンポーネント・キャリアのうちの１つとを、前記ターゲットセル（１０２）の基地局から受信するステップをさらに含む請求項７に記載の方法。
【請求項９】
ソースセル（１００）からターゲットセル（１０２）へのユーザ装置（１２８）のハンドオーバを実施するためになされた基地局（１１６）であって、前記基地局（１１６）は、少なくとも１つのコンポーネント・キャリアを形成する２つ以上の統合されたコンポーネント・キャリア上で同時にデータを受信および／または送信するためになされており、前記基地局はさらに、前記ソースセル（１００）のランダム・アクセス・チャネル上で、ＲＲＣ接続再設定メッセージを送信するためになされており、前記メッセージは、連結情報を含み、前記連結情報は、前記ターゲットセル（１０２）のアップリンクのための前記統合されたコンポーネント・キャリアのうちの１つと、前記ターゲットセル（１０２）のダウンリンクのための前記統合されたコンポーネント・キャリアのうちの１つとを示す、基地局（１１６）。
【請求項１０】
請求項１乃至５において特許請求された方法ステップのいずれかを実施するための、または請求項７乃至８において特許請求された方法ステップのいずれかを実施するための、コンピュータ実行可能命令を含むコンピュータ製品。
【発明の詳細な説明】
【技術分野】
【０００１】
本発明は、ソースセルからターゲットセルへのユーザ装置のハンドオーバを実施する方法、ユーザ装置、基地局によりハンドオーバを実施する方法、基地局、ならびにコンピュータ・プログラム製品に関する。
【背景技術】
【０００２】
現在、ＵＭＴＳ（ユニバーサル移動体電気通信システム）ネットワークは、高いデータ・レートでユーザ装置（ＵＥ）にデータを提供するために、世界的にアップグレードされている。今後数年およびそれ以降のＵＭＴＳの競争力を確かなものにするために、ＵＭＴＳロング・ターム・エボリューション（ＬＴＥ）のコンセプトが研究されてきた。その課題は、高いデータ・レート、低い待ち時間で、かつパケットが最適化された無線アクセス技術である。
【０００３】
ＵＭＴＳネットワークは、セルラ・ワイヤレス・ネットワークの第３世代（３Ｇ）を構成する。第３世代パートナーシップ（３ＧＰＰ）は、マルチメディア・サービスのための標準の確立に取り組んでいる。
【０００４】
ＬＴＥアドバンス（ＬＴＥ  ａｄｖａｎｃｅｄ）の端末、すなわち、ユーザ装置（ＵＥ）は、ＬＴＥリリース１０では、いわゆるキャリア・アグリゲーション（ｃａｒｒｉｅｒ  ａｇｇｒｅｇａｔｉｏｎ：搬送波統合化）を使用して複数のコンポーネント・キャリア（ｃｏｍｐｏｎｅｎｔ  ｃａｒｒｉｅｒ）上で同時に、または、ＬＴＥリリース８でのように、単一のコンポーネント・キャリア上で、共同でスケジュールされてよい。結果として、キャリア・アグリゲーション（ＣＡ）では、たとえば、３ＧＰＰ  ＴＳ  ３６．３００（ｔｈｉｒｄ  ｇｅｎｅｒａｔｉｏｎ  ｐａｒｔｎｅｒｓｈｉｐ  ｐｒｏｊｅｃｔ，ｔｅｃｈｎｉｃａｌ  ｓｐｅｃｉｆｉｃａｔｉｏｎ  ｇｒｏｕｐ  ｒａｄｉｏ  ａｃｃｅｓｓ  ｎｅｔｗｏｒｋ，ｅｖｏｌｖｅｄ  ｕｎｉｖｅｒｓａｌ  ｔｅｒｒｅｓｔｒｉａｌ  ｒａｄｉｏ  ａｃｃｅｓｓ  ａｎｄ  ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ；ｏｖｅｒａｌｌ  ｄｅｓｃｒｉｐｔｉｏｎ；ｒｅｌｅａｓｅ  １０）で規定されるように、１００ＭＨｚまでのより広い伝送帯域幅をサポートするために、２つ以上のコンポーネント・キャリア（ＣＣ）が、統合される。そのような拡張された１００ＭＨｚのＬＴＥアドバンス帯域幅は、たとえば、それぞれが２０ＭＨｚの帯域幅を有する、５つのコンポーネント・キャリア（ＣＣ）からなる。ＬＴＥアドバンスのスペクトラムはまた、１００ＭＨｚ未満であってもよく、したがって、５つ未満のコンポーネント・キャリアからなってもよい。少なくとも、アップリンク（ＵＬ）およびダウンリンク（ＤＬ）において、統合されたＣＣの数が同じであるときには、すべてのＣＣが、ＬＴＥリリース８／９対応であるように構成されてよい。しかしながら、すべてのＣＣが、必ずしもリリース８／９対応であり得るわけではない。
【０００５】
本明細書では、各基地局（３ＧＰＰ  ＬＴＥにおいては、ｅＮｏｄｅＢ）が、「プライマリ・コンポーネント・キャリア」（ＰＣＣ）と表される１つのアクティブなコンポーネント・キャリアを常に有すると想定される。ＰＣＣは、それが最初にオンにされ、全セル・カバレッジを提供すると想定されるときに、ｅＮｏｄｅＢによって自動的に選択される。加えて、セルにおいて提示されるトラフィックおよび周囲のセルに結び付く相互干渉に応じて、各セルは、送信／受信のための追加のコンポーネント・キャリアを動的に選択することができ、これは、セカンダリ・コンポーネント・キャリア（ＳＣＣ）の選択と呼ばれる。選択されないコンポーネント・キャリアは、完全にミュートされると想定され（アップリンク／ダウンリンク）、セルによって使用されない。
【先行技術文献】
【非特許文献】
【０００６】
【非特許文献１】３ＧＰＰ  ＴＳ  ３６．３００（ｔｈｉｒｄ  ｇｅｎｅｒａｔｉｏｎ  ｐａｒｔｎｅｒｓｈｉｐ  ｐｒｏｊｅｃｔ，ｔｅｃｈｎｉｃａｌ  ｓｐｅｃｉｆｉｃａｔｉｏｎ  ｇｒｏｕｐ  ｒａｄｉｏ  ａｃｃｅｓｓ  ｎｅｔｗｏｒｋ，ｅｖｏｌｖｅｄ  ｕｎｉｖｅｒｓａｌ  ｔｅｒｒｅｓｔｒｉａｌ  ｒａｄｉｏ  ａｃｃｅｓｓ  ａｎｄ  ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ；ｏｖｅｒａｌｌ  ｄｅｓｃｒｉｐｔｉｏｎ；ｒｅｌｅａｓｅ  １０）
【発明の概要】
【課題を解決するための手段】
【０００７】
本発明は、ソースセルからターゲットセルへのユーザ装置のハンドオーバを実施する方法を提供し、ユーザ装置は、少なくとも１つのコンポーネント・キャリアを形成する２つ以上の統合されたコンポーネント・キャリア上で同時にデータを受信および／または送信するためになされており、方法は、ソースセルのランダム・アクセス・チャネル（ＲＡＣＨ）上で、ソースセルからＲＲＣ（無線リソース制御）接続再設定メッセージを受信するステップを含み、前記メッセージは、連結情報を含み、前記連結情報は、ターゲットセルのアップリンクのための統合されたコンポーネント・キャリアのうちの１つと、ターゲットセルのダウンリンクのための統合されたコンポーネント・キャリアのうちの１つとを示す。
【０００８】
本発明の実施形態は、ＲＲＣ接続再設定メッセージ（ＨＯコマンド）を送信することによって、ＵＥに固有の連結が簡単に達成できるという利点を有する。したがって、ＣＣの再設定、追加、および解除のために、ターゲットセルからＵＥへの追加のシグナリングは必要ない。結果として、追加のシグナリングがもたらす短い接続ギャップが回避されるので、よりシームレスなハンドオーバが行われる。すなわち、スループット・パフォーマンスをソースセルにおけるのと同然に最少に保つことにより、持続性のあるユーザ体験を保証することができる。
【０００９】
本発明の実施形態に従って、ＲＲＣ接続再設定メッセージは、専用ＲＡＣＨプリアンブルをさらに含む。そのような専用ＲＡＣＨプリアンブルは、好ましくは、ターゲットセルの特定のコンポーネント・キャリア（ＣＣ）連結に有効であり、したがって、ＨＯコマンドにおいて明示的な連結を提供する。専用プリアンブルは、これにより、ターゲットセルにおけるアクセスのためにアップリンクＰＣＣで使用されてよく、ここで、ＨＯコマンドにおいて与えられるＣＣ連結により、ユーザ装置は、どのダウンリンクＣＣで、それぞれのＲＡＣＨ応答が予期され得るかを自動的に知る。
【００１０】
さらに、非競合のＲＡＣＨアクセスが、キャリア・アグリゲーションによるハンドオーバのケースについて保証される。代替的な実施形態において、ＲＡＣＨプリアンブルはまた、ハンドオーバ中に、ＲＡＣＨの負荷分散のために使用されてもよい。
【００１１】
専用ＲＡＣＨプリアンブルを備えることについてのさらなる応用は、無線リンク障害（ＲＬＦ）のケースであり、ここでは、専用ＲＡＣＨプリアンブルの存在により、接続再確立が容易にトリガされ、つまり、それぞれのセルサーチのために、専用ＲＡＣＨプリアンブルを用いたターゲットセルのアップリンクＰＣＣが既知であり、これにより、ターゲットセルにおけるセルサーチを簡素化し、高速化することができる。
【００１２】
本発明のさらなる実施形態に従って、連結情報は、ターゲットセルの統合されたコンポーネント・キャリアのうちの前記１つが、既にアクティブであるか、またはまだ非アクティブであるかをさらに示す。統合されたコンポーネント・キャリアは、少なくとも１つのプライマリ・コンポーネント・キャリア、およびオプションでセカンダリ・コンポーネント・キャリアを形成するので、ＲＲＣ接続再設定メッセージにおいて、ターゲットセルのためのＰＣＣおよびＳＣＣを示すことによって、ハンドオーバのために、ＰＣＣおよびＳＣＣがこうしてターゲットセルのために暗黙的にアクティブに、または非アクティブにされ、それが連結情報において示される。
【００１３】
これは、ＳＣＣの別個のアクティベーションのケースとなるときに、たとえば、別個のＭＡＣシグナリングが必要でないという利点を有する。一般に、ＣＣの再設定、追加、および解除は、ＲＲＣによって実施されてよいが、ＳＣＣのアクティベーションは自動的には行われず、それにより、別個のＭＡＣシグナリングが必要となることになる。ソースｅＮｏｄｅＢまたはターゲットｅＮｏｄｅＢによってそれぞれの統合されたコンポーネント・キャリアを自動的にアクティブにし、ＰＣＣおよびＳＣＣのそれぞれのアクティベーションについての情報をユーザ装置に提供することによって、追加のシグナリングをこうして回避することができる。
【００１４】
本発明のさらなる実施形態に従って、連結情報は、ソースセルのコンポーネント・キャリア設定が、ターゲットセルのために全く同じように使用され得るかどうかをさらに示す。これは、好ましい実施形態である。というのは、ソースセルにおけるのと同じＣＣ設定および連結がターゲットセルにおいても使用され得るケースにおいて、ソースセルの同じ高いスループットおよび帯域幅を、ターゲットセルにおいても保証することができ、したがって、ハンドオーバの追加の新たなＲＲＣ設定およびＭＡＣアクティベーションが必要ないからである。
【００１５】
既に上で述べたように、統合されたコンポーネント・キャリアは、少なくとも１つのプライマリ・コンポーネント・キャリア、およびオプションでセカンダリ・コンポーネント・キャリアを形成する。したがって、連結情報は、配列
｛ＰＣＣ，ＳＣＣ｝
から、ターゲットセルのアップリンクのための前記キャリアのうちの１つと、ターゲットセルのダウンリンクのための前記キャリアのうちの１つとを示す。
【００１６】
別の態様において、本発明は、ソースセルからターゲットセルへのハンドオーバを実施するためになされたユーザ装置に関し、ユーザ装置は、少なくとも１つのコンポーネント・キャリアを形成する２つ以上の統合されたコンポーネント・キャリア上で同時にデータを受信および／または送信するためになされており、ユーザ装置はさらに、ソースセルのランダム・アクセス・チャネル上で、ソースセルからＲＲＣ接続再設定メッセージを受信するためになされており、前記メッセージは、連結情報を含み、前記連結情報は、ターゲットセルのアップリンクのための統合されたコンポーネント・キャリアのうちの１つと、ターゲットセルのダウンリンクのための統合されたコンポーネント・キャリアのうちの１つとを示す。
【００１７】
別の態様において、本発明は、ソースセルからターゲットセルへのユーザ装置のハンドオーバを実施する方法に関し、方法は、ソースセルの基地局によって実施され、基地局は、２つ以上の統合されたコンポーネント・キャリア上で同時にデータを受信および／または送信するためになされており、方法は、ソースセルのランダム・アクセス・チャネル上で、ＲＲＣ接続再設定メッセージを送信するステップを含み、前記メッセージは、連結情報を含み、前記連結情報は、ターゲットセルのアップリンクのための統合されたコンポーネント・キャリアのうちの１つと、ターゲットセルのダウンリンクのための統合されたコンポーネント・キャリアのうちの１つとを示す。
【００１８】
本発明の実施形態に従って、方法は、ターゲットセルのアップリンクのための統合されたコンポーネント・キャリアのうちの１つと、ターゲットセルのダウンリンクのための統合されたコンポーネント・キャリアのうちの１つとを、ターゲットセルの基地局から受信するステップをさらに含む。
【００１９】
別の態様において、本発明は、ソースセルからターゲットセルへのユーザ装置のハンドオーバを実施するためになされた基地局に関し、基地局は、少なくとも１つのコンポーネント・キャリアを形成する２つ以上の統合されたコンポーネント・キャリア上で同時にデータを受信および／または送信するためになされており、基地局はさらに、ソースセルのランダム・アクセス・チャネル上で、ＲＲＣ接続再設定メッセージを送信するためになされており、前記メッセージは、連結情報を含み、前記連結情報は、ターゲットセルのアップリンクのための統合されたコンポーネント・キャリアのうちの１つと、ターゲットセルのダウンリンクのための統合されたコンポーネント・キャリアのうちの１つとを示す。
【００２０】
別の態様において、本発明は、上で説明した方法のいずれかを実施するための、コンピュータ実行可能命令を含むコンピュータ製品に関する。
【００２１】
以下において、本発明の好ましい実施形態を、図面を参照しながら、例のみとして、より詳細に説明する。
【図面の簡単な説明】
【００２２】
【図１】ワイヤレス通信ネットワークのブロック図である。
【図２】ＲＲＣ接続再設定メッセージ（ＨＯコマンド）の例示的なコンテンツを示す図である。
【発明を実施するための形態】
【００２３】
図１は、ワイヤレス通信ネットワークのブロック図を示す。ここでは、本発明に関連する特徴のみが示されていることに留意する必要がある。
【００２４】
図１に示すネットワークは、たとえば、３ＧＰＰ無線アクセスネットワーク仕様に基づいたＵＭＴＳ地上無線アクセスネットワーク（ＵＴＲＡＮ）である。通信ネットワークは、２つのｅＮｏｄｅＢ１１６および１２４と、ユーザ装置ＵＥ１２８とを含む。図１に示すように、ＵＥ１２８は現在、ｅＮｏｄｅＢ１１６によってサービスされるソースセル１００に空間的に位置している。
【００２５】
ｅＮｏｄｅＢ１１６によるサービスは、ソースセル１００に対してネットワーク・カバレッジを提供するアンテナ１０４を介して実施される。
【００２６】
ｅＮｏｄｅＢ１１６は、プロセッサ１１２、ならびにメモリ１１４を含む。メモリ１１４は、プロセッサ１１２によって実行可能なコンピュータ実行可能命令を含むモジュール１１５を含む。これらの命令は、上で説明したような方法を実施するためのいずれかの命令を含むことができる。
【００２７】
さらに、ｅＮｏｄｅＢ１１６は、バックホール１２８を介してｅＮｏｄｅＢ１２４と通信するためのインターフェース１１８を含む。
【００２８】
ｅＮｏｄｅＢ１２４は、ｅＮｏｄｅＢ１１６と同様なやり方で構成されている。結果として、ｅＮｏｄｅＢ１２４は、プロセッサ１２０と、モジュール１２３を含むメモリ１２２とを含む。やはり、モジュール１２３は、プロセッサ１２０によって実行可能なコンピュータ実行可能命令を含む。これらの命令は、上で説明したような方法を実施するために、いずれかの命令を含むことができる。
【００２９】
ｅＮｏｄｅＢ１２４において、バックホール１２８を介してｅＮｏｄｅＢ１１６と通信するためのインターフェース１２６がさらに提供される。
【００３０】
ｅＮｏｄｅＢ１２４のアンテナ１０６が、ターゲットセル１０２のカバレッジを提供するために、さらに提供される。
【００３１】
以下において、ソースセル１００からターゲットセル１０２へのＵＥ１２８のハンドオーバに関して、４つの異なるシナリオを論じることとする。これらのシナリオは、図２について示されるＲＲＣ接続再設定メッセージコンテンツについて論じられることになる。
【００３２】
以下のシナリオでは、厳密にどのＣＣ設定および連結がソースセル１００において提供されるかは問題ではない。しかしながら、一般性を損なわずに、以下では、ソースセル１００において、ＵＥ１２８は、１つのアップリンクＰＣＣ、１つのアップリンクＳＣＣ、ならびに１つのダウンリンクＰＣＣ、および１つのダウンリンクＳＣＣを有するものと想定される。
【００３３】
第１のシナリオにおいて、図２の行２００に示されるコンテンツを有するＲＲＣ接続再設定メッセージが、ｅＮｏｄｅＢ１１６からＵＥ１２８に提供される。ＲＲＣ接続再設定メッセージは、ＵＥ１２８によって受信され、ＵＥによって解析される。この実施形態において、メッセージは、ソースセル１００のＣＣ設定および連結が、ターゲットセルにおいては使用できないことを示す。これは、列「ソースセルにおいてと同様」における例示的なビット「０」によって示される。
【００３４】
さらに、ＰＣＣダウンリンクおよびＰＣＣアップリンクについての情報が、メッセージにおいて詳細に提供される。単純なケースでは、これは、ビット「１」によってのみ表される。しかしながら、実際には、さらなる情報が含まれ、そのビットと共に提供されることになる。これは、たとえば、ＰＣＣダウンリンクおよびＰＣＣアップリンクの中心周波数を含むことができる。
【００３５】
ＲＲＣ接続再設定メッセージは、非競合のＲＡＣＨアクセスがハンドオーバのために保証されるように、専用ＲＡＣＨプリアンブルをさらに含む。
【００３６】
好ましくは、慣例により、図２に表すメッセージにおけるビット「１」は、ハンドオーバのケースについて、ＰＣＣが既に暗黙的にアクティブにされていること、つまり、ＵＥのＭＡＣシグナリングによる、たとえばＳＣＣの追加のアクティベーションが必要ではないことを、さらに示す。
【００３７】
第２のシナリオにおいて、図２の行２０２に表すコンテンツを有するＲＲＣ接続再設定メッセージが、ｅＮｏｄｅＢ１１６からＵＥ１２８に提供される。このシナリオは、専用ＲＡＣＨプリアンブルが存在しないという詳細においてのみ、上で論じたシナリオと区別される。
【００３８】
第３のシナリオにおいて、参照番号２０４により表すコンテンツを有するＲＲＣ接続再設定メッセージが、ｅＮｏｄｅＢからＵＥ１２８に提供される。ここでは、ただ１つのビット、すなわち、列「ソースセルにおいてと同様」についてのビット「１」が設けられる。これは、ユーザ装置が、ソースセル１００に対して既に使用されたのと同じＣＣ設定および連結を、ターゲットセル１０２において使用できることを示す。さらに、これは、追加的に好ましくは、ＰＣＣおよびＳＣＣがやはり既に暗黙的にアクティブにされており、したがって、とりわけアップリンクおよびダウンリンクＳＣＣに対して、特別なアクティベーションが必要でないことを示す。結果として、アップリンクおよびダウンリンクＳＣＣの特別なアクティベーションのための別個のＭＡＣシグナリングが回避される。
【００３９】
最後に、第４のシナリオにおいて、コンテンツ２０６を有するＲＲＣ接続再設定メッセージが、ｅＮｏｄｅＢ１１６からＵＥ１２８に提供される。このメッセージにおいては、ソースセル１００に対して使用されたのと同じＣＣ設定および連結が、ターゲットセル１０２において使用できないことが示される。しかしながら、このメッセージは、ＵＥ１２８が、具体的に与えられたダウンリンクＰＣＣ、具体的に与えられたアップリンクＰＣＣ、ならびに２つの具体的に与えられたダウンリンクＳＣＣ（ＤＬ１およびＤＬ２）、および２つの具体的に与えられたアップリンクＳＣＣ（ＵＬ１およびＵＬ２）を使用できることを示す。やはり好ましくは、ビットが、ＰＣＣおよびＳＣＣが既に暗黙的なアクティブにされていることを示す。さらに、専用ＲＡＣＨプリアンブルが、メッセージにおいて提供される。
【００４０】
ターゲットセル１０２においてＵＥ１２８に利用可能なアップリンクおよびダウンリンクのＰＣＣおよびＳＣＣについての特定の情報が、バックホール１２８を介して、ターゲットセルのｅＮｏｄｅＢ１２４から、ｅＮｏｄｅＢ１１６に提供される。
【図１】
2013524595.tif 000003
【図２】
2013524595.tif 000004
【国際調査報告】
2013524595.tif 000005
2013524595.tif 000006